(57)【要約】【課題】断熱パネル内部に水が侵入する事態を抑制可能な断熱パネルを提供する。【解決手段】一対の表面板２３Ａ，２３Ｂと、枠材３０と、一対の表面板２３Ａ，２３Ｂ及び枠材３０により囲まれた内部空間２７に充填された発泡材２５と、枠材３０に設けられ、一方の表面板２３Ａを保持するプレートホルダ６０Ｂと、を備え、プレートホルダ６０Ｂは、一方の表面板２３Ａの板面における周端部２４Ｂを支持する支持面６３Ａを有する支持部６３と、一方の表面板２３Ａの端面２４Ａに当接する当接面６４Ａを有する当接部６４と、を備え、周端部２４Ｂと支持面６３Ａの間には、防水テープ５０が介在されており、防水テープ５０は、防水性を有する防水層５１と、周端部２４Ｂと防水層５１とを接着する接着層５２と、支持面６３Ａと防水層５１とを接着する接着層５３と、を備えることに特徴を有する。【選択図】図４
2017110772.tif 000002
【特許請求の範囲】
【請求項１】
互いに間隔を保ちつつ対向配置された一対の表面板と、
前記一対の表面板の周縁部に沿って延びる枠材と、
前記一対の表面板及び前記枠材により囲まれた内部空間に充填された断熱材と、
前記枠材に設けられ、前記一対の表面板のうち一方の表面板を保持する保持部材と、を備え、
前記保持部材は、
前記一方の表面板の板面における周端部を支持する支持面を有する支持部と、
前記一方の表面板の端面に当接する当接面を有する当接部と、を備え、
前記板面における前記周端部と前記支持面の間には、防水テープが介在されており、
前記防水テープは、
防水性を有する防水層と、
前記周端部と前記防水層とを接着する表面板側接着層と、
前記支持面と前記防水層とを接着する保持部材側接着層と、を備える断熱パネル。
【請求項２】
前記保持部材は、
前記枠材に形成された溝部に差し込まれる差込片部を備える請求項１に記載の断熱パネル。
【請求項３】
前記保持部材における前記当接面と反対側の面には、弾性を有する防水パッキンが設けられている請求項１又は請求項２に記載の断熱パネル。
【発明の詳細な説明】
【技術分野】
【０００１】
本発明は、断熱パネルに関する。
【背景技術】
【０００２】
従来、複数の断熱パネルを互いに組み付けることで箱形をなすプレハブ式貯蔵庫が知られている（例えば、特許文献１参照）。この種の貯蔵庫に使用されている断熱パネルは、互いに間隔を保ちつつ対向配置された一対の表面板とその周縁部に配される枠材とからなる外殻体を備えており、その外殻体の内部空間に断熱材が発泡充填されることで形成されている。このような断熱パネルとして、特許文献１には、枠材に受け片が設けられ、この受け片によって、一対の表面板のうち一方の表面板の周端部が保持される構成のものが記載されている。
【先行技術文献】
【特許文献】
【０００３】
【特許文献１】特許第３１６６５４２号公報
【発明の概要】
【発明が解決しようとする課題】
【０００４】
上記構成では、貯蔵庫内の水が受け片と表面板との間を通じて断熱パネル内部（断熱材側）に侵入することが懸念され、この点において改善の余地があった。
【０００５】
本発明は上記のような事情に基づいて完成されたものであって、断熱パネル内部に水が侵入する事態を抑制可能な断熱パネルを提供することを目的とする。
【課題を解決するための手段】
【０００６】
上記課題を解決するために、本発明の断熱パネルは、互いに間隔を保ちつつ対向配置された一対の表面板と、前記一対の表面板の周縁部に沿って延びる枠材と、前記一対の表面板及び前記枠材により囲まれた内部空間に充填された断熱材と、前記枠材に設けられ、前記一対の表面板のうち一方の表面板を保持する保持部材と、を備え、前記保持部材は、前記一方の表面板の板面における周端部を支持する支持面を有する支持部と、前記支持部に設けられ、前記一方の表面板の端面に当接する当接部と、を備え、前記板面における前記周端部と前記支持面の間には、防水テープが介在されており、前記防水テープは、防水性を有する防水層と、前記周端部と前記防水層とを接着する表面板側接着層と、前記支持面と前記防水層とを接着する保持部材側接着層と、を備えることに特徴を有する。
【０００７】
上記構成では、当接部及び支持部を備える保持部材によって一方の表面板を保持することができる。また、防水テープを備えることで、一方の表面板と支持面の間から断熱パネルの内部（断熱材側）に水が浸入する事態を抑制することができる。さらに、防水テープは、表面板側接着層と保持部材側接着層とを有しているため、保持部材に対して一方の表面板をより確実に保持することができる。
【０００８】
また、前記保持部材は、前記枠材に形成された溝部に差し込まれる差込片部を備えるものとすることができる。このような構成とすれば、枠材に対して保持部材を容易に取り付けることができる。
【０００９】
また、前記保持部材における前記当接面と反対側の面には、弾性を有する防水パッキンが設けられているものとすることができる。このようにすれば、上記構成の断熱パネルに対して他の断熱パネルを隣接させて配置した場合において、２つの断熱パネルの間に防水パッキンを介在させることができる。この結果、隣り合う２枚の断熱パネル間の隙間（目地）を塞ぐことができる。
【発明の効果】
【００１０】
本発明によれば、断熱パネル内部（断熱材側）に水が侵入する事態を抑制可能な断熱パネルを提供することができる。
【図面の簡単な説明】
【００１１】
【図１】本発明の実施形態１に係る断熱パネルを用いて構成されたプレハブ式貯蔵庫の外観を示す斜視図
【図２】プレハブ式貯蔵庫の床面を構成するベースパネルを示す斜視図
【図３】ベースパネルを示す断面図（図２のＩＩＩ−ＩＩＩ線で切断した図に対応）
【図４】図３において隣り合う２つのベースパネルの周端部を拡大して示す拡大図
【図５】プレートホルダ６０Ｂを示す斜視図
【図６】プレートホルダ６０Ａを示す斜視図
【図７】実施形態２に係るベースパネルを示す断面図
【発明を実施するための形態】
【００１２】
＜実施形態１＞
本発明の実施形態１を図１から図６によって説明する。本実施形態では、断熱パネルとして、プレハブ式冷蔵庫の床面を構成するベースパネル２０Ａを例示する。プレハブ式冷蔵庫の冷蔵庫本体１０は、図１に示すように、複数の断熱パネルを組み付けることで箱形に形成されている。冷蔵庫本体１０を構成する断熱パネルとしては、例えば、冷蔵庫本体１０の天井を構成するルーフパネル１５Ａ，１５Ｂ，１５Ａ、冷蔵庫本体１０の床面を構成するベースパネル２０Ａ，２０Ｂ，２０Ａ、冷蔵庫本体１０の側壁を構成するサイドパネル１６Ａ及びコーナパネル１６Ｂなどを例示することができる。なお、ベースパネル２０Ａ，２０Ｂ，２０Ａは、ベースフレーム１３の上に載置されている。
【００１３】
なお、断熱パネルの使用枚数や配置態様は、図１で例示したものに限定されず適宜変更可能であり、断熱パネルの枚数や配置態様を変更することで、様々な大きさの冷蔵庫本体を構成することが可能である。また、冷蔵庫本体１０の前面壁には、出入口となる開口部（図示せず）が形成され、開口部は扉１２によって開閉可能となっている。
【００１４】
冷蔵庫本体１０の床面は、図２に示すように、例えば、３枚のベースパネル２０Ａ，２０Ｂ，２０Ａによって、構成されている。以下の説明では、図２の左側に配されるベースパネル２０Ａについて主に説明する。ベースパネル２０Ａは、全体として矩形板状をなしており、図３に示すように、内側に内部空間２７が形成される外殻体２１と、内部空間２７に発泡充填される発泡材２５（断熱材）と、を備えている。
【００１５】
外殻体２１は、図２及び図３に示すように、互いに間隔を保ちつつ対向配置された一対の金属製の表面板２３Ａ，２３Ｂと、一対の表面板２３Ａ，２３Ｂの周縁部に装着される矩形枠状の枠材３０と、枠材３０に取り付けられ、表面板２３Ａを保持する４枚のプレートホルダ６０Ａ，６０Ｂ，６０Ｃ，６０Ｃ（保持部材）と、を備えている。各プレートホルダは、ベースパネル２０Ａの４辺に沿って、それぞれ配されている。具体的には、プレートホルダ６０Ａは、ベースパネル２０Ａにおけるサイドパネル１６Ａ側（図２の左側）の長辺に沿う形で配されており、プレートホルダ６０Ｂは、ベースパネル２０Ｂ側（図２の右側）の長辺に沿う形で配されている。また、一対のプレートホルダ６０Ｃ，６０Ｃは、ベースパネル２０Ａにおける一対の短辺に沿う形でそれぞれ配されている。
【００１６】
一対の表面板２３Ａ、２３Ｂのうち、上方に配される表面板２３Ａ（一方の表面板）は、冷蔵庫本体１０の床面を構成するチェッカープレート（縞板）である。以下の説明では、表面板２３Ａをチェッカープレート２３Ａと呼ぶ場合がある。チェッカープレート２３Ａの表面には、その全面に亘って滑り止め用の突起２３Ｄが無数に形成されている。また、チェッカープレート２３Ａは、例えば、表面板２３Ｂに比して、その板厚が大きく、剛性が高いものとされる。
【００１７】
枠材３０は、例えば硬質塩化ビニル等の合成樹脂成形品とされる。また、プレートホルダ６０Ａ，６０Ｂ，６０Ｃ、及び表面板２３Ａ，２３Ｂは、例えば、アルミなどの金属製とされる。さらに、発泡材２５は、硬質ポリウレタンなどの発泡樹脂（ウレタンフォーム）とされる。なお、枠材３０、プレートホルダ６０Ａ，６０Ｂ，６０Ｃ、表面板２３Ａ，２３Ｂ、及び発泡材２５の材質は上述したものに限定されず適宜変更可能である。
【００１８】
枠材３０は、表面板２３Ａ，２３Ｂの周縁部を取り囲む形状をなしている。枠材３０は、長手状をなす４つの縁部材（外周枠材）３１，３２，３３，３４と、４つの角部材（コーナー枠材）３５，３６，３７，３８と、を備えている。図２に示すように、縁部材３１，３２，３３，３４は、矩形状をなすベースパネル２０Ａの４辺をそれぞれ構成するものであり、冷蔵庫本体１０の外周側に配される３つの縁部材３１，３２，３３の上面には、対応するサイドパネルやコーナパネル（例えば、図３のサイドパネル１６Ａ参照）が載置される。また、縁部材３１，３２，３３の上面には、サイドパネル（又はコーナパネル）の下部が嵌合する凹凸部３２Ａ（図３参照）がそれぞれ設けられている。これに対して、ベースパネル２０Ｂ側（図３の右側）に配される縁部材３４は、ベースパネル２０Ｂの縁部材２８と嵌合可能な凹凸形状をなしている。
【００１９】
プレートホルダ６０Ａ，６０Ｂ，６０Ｃ，６０Ｃは、チェッカープレート２３Ａの周端部を保持（位置決め）する部材である。プレートホルダ６０Ａ及びプレートホルダ６０Ｃは、長さが異なること以外は、ほぼ同じ構成である。また、プレートホルダ６０Ａ及びプレートホルダ６０Ｂは、図５及び図６に示すようにチェッカープレート２３Ａに当接する当接部６４（後述）の形成箇所が相違するものの基本的な構成は同一である。このため、以下の説明では、主にプレートホルダ６０Ｂの構成について説明する。
【００２０】
プレートホルダ６０Ｂは、図５に示すように、長手状をなし、長手方向の両端面６１，６１は、長手方向に対して傾斜する傾斜面とされる。プレートホルダ６０Ｂは、図４に示すように、縁部材３４の周端部（上端部）に形成された溝部４１に差し込まれる差込片部６２と、差込片部６２に対して、直交する形で屈曲される支持部６３と、支持部６３における差込片部６２側の端部から上方に立ち上がる当接部６４と、を備えている。支持部６３の上面は、チェッカープレート２３Ａの板面における周端部２４Ｂを支持する支持面６３Ａとされる。当接部６４におけるチェッカープレート２３Ａ側の面は、チェッカープレート２３Ａの端面２４Ａに当接する当接面６４Ａとされる。言い換えると、支持面６３Ａ及び当接面６４Ａは、チェッカープレート２３Ａの角部が嵌合されるＬ字状をなしている。
【００２１】
また、支持部６３の下面には、図３に示すように、断面視Ｔ字状の係止部６５が形成されている。発泡材２５は、枠材３０、プレートホルダ６０Ａ，６０Ｂ，６０Ｃ，６０Ｃ、チェッカープレート２３Ａによって囲まれた内部空間２７に充填されている。このため、枠材３０、プレートホルダ６０Ａ，６０Ｂ，６０Ｃ，６０Ｃ、チェッカープレート２３Ａは、発泡材２５によって一体化されている。係止部６５は、発泡材２５に係止する構成となっている。これにより、プレートホルダ６０Ｂを発泡材２５に対して、より確実に固定することができる。
【００２２】
図４に示すように、チェッカープレート２３Ａの板面における周端部２４Ｂと、支持面６３Ａの間には、防水テープ５０が介在されている。防水テープ５０は、防水性を有する防水層５１と、周端部２４Ｂと防水層５１とを接着する接着層５２（表面板側接着層）と、支持面６３Ａと防水層５１とを接着する接着層５３（保持部材側接着層）と、を備える。これにより、チェッカープレート２３Ａとプレートホルダ６０Ｂとは、防水テープ５０を介して接着されている。防水層５１は、例えば、ブチルゴムなどの弾性部材によって構成されているが、その材質はこれに限定されず適宜変更可能である。なお、このような防水テープ５０としては、例えば、スリオンテック製スーパーブチルテープ等を用いることができるが、これに限定されない。
【００２３】
また、本実施形態では、図４に示すように、隣り合う２つのベースパネル２０Ａ，２０Ｂの隙間を埋めるために防水パッキン５４及びコーキング材５５が設けられている。防水パッキン５４は、例えば、プレートホルダ６０Ｂの長手方向に沿う長手状をなし、隣り合う２つのプレートホルダ６０Ｂ，６０Ｂの間、及び隣り合う２つの縁部材（縁部材３４及びベースパネル２０Ｂの縁部材２８）の上部間を埋める形で配されている。防水パッキン５４は、弾性を有するパッキン本体部５４Ａと、接着層５４Ｂと、を有している。このような防水パッキン５４としては、例えば、タキゲン製造株式会社製シーリングパッキン等を用いることができるが、これに限定されない。
【００２４】
パッキン本体部５４Ａは、接着層５４Ｂを介して、例えば、縁部材３４における外側の面３４Ｂ及びプレートホルダ６０Ｂにおける外側の面６６の双方に亘って接着されている。つまり、防水パッキン５４は、縁部材３４及びプレートホルダ６０Ｂの双方を覆う形で設けられており、縁部材３４とプレートホルダ６０Ｂの隙間を覆う機能も有している。なお、ここで言う「外側の面」とは、ベースパネル２０Ｂ側の面（外周端面）である。また、プレートホルダ６０Ｂにおける外側の面６６とは、プレートホルダ６０Ｂにおける当接面６４Ａとは反対側の面である。
【００２５】
本実施形態では、ベースパネル２０Ａのプレートホルダ６０Ｂ及び縁部材３４に防水パッキン５４を貼り付け、その後、ベースパネル２０Ａとベースパネル２０Ｂとを隣接させて配置する。これにより、パッキン本体部５４Ａは、図４に示すように、２つのプレートホルダ６０Ｂ，６０Ｂ間、及び２つの縁部材３４，２８間で潰された状態で配される。また、コーキング材５５は、例えば、隣り合うチェッカープレート２３Ａ，２３Ａ間、及び縁部材３４の凸部３４Ａ及び縁部材２８の凹部２８Ａの間にそれぞれ介在されている。
【００２６】
次に、本実施形態の効果について説明する。本実施形態では、当接部６４及び支持部６３を備えるプレートホルダ６０Ｂによってチェッカープレート２３Ａを保持することができる。また、防水テープ５０を備えることで、チェッカープレート２３Ａと支持面６３Ａの間からベースパネル２０Ａの内部（発泡材２５側）に水が浸入する事態を抑制することができる。また、防水テープ５０は、接着層５２と接着層５３とを有しているため、プレートホルダ６０Ｂに対してチェッカープレート２３Ａをより確実に保持することができる。
【００２７】
また、プレートホルダ６０Ｂは、縁部材３４に形成された溝部４１に差し込まれる差込片部６２を備えるものとすることができる。このような構成とすれば、縁部材３４に対してプレートホルダ６０Ｂを容易に取り付けることができる。
【００２８】
また、プレートホルダ６０Ｂにおける外側の面６６には、弾性を有する防水パッキン５４が設けられている。これにより、ベースパネル２０Ａとベースパネル２０Ｂとを隣接させて配置した場合において、ベースパネル２０Ａとベースパネル２０Ｂの間に防水パッキン５４を介在させることができる。この結果、隣り合うベースパネル２０Ａとベースパネル２０Ｂ間の隙間（目地）を塞ぐことができる。また、防水パッキン５４を設けることでその分だけ、コーキング材５５の塗布量を減らすことができ、作業性を向上させることができる。
【００２９】
＜実施形態２＞
次に、本発明の実施形態２を図７によって説明する。本実施形態では、プレートホルダの構成が上記実施形態と相違する。なお、上記実施形態と同一部分には、同一符号を付して重複する説明を省略する。本実施形態のプレートホルダ１６０Ｂは、図７に示すように、例えば、縁部材１３４及び縁部材１２８にそれぞれ設けられているが、ここでは縁部材１３４に設けられたプレートホルダ１６０Ｂ（図７の左側のプレートホルダ）について主に説明する。
【００３０】
プレートホルダ１６０Ｂは、縁部材１３４の周端部（上端部）に形成された溝部１４１に差し込まれる差込片部１６２と、差込片部１６２に対して、直交する形で屈曲される屈曲部１６５と、屈曲部１６５におけるチェッカープレート１２３Ａ側の端部から下方に延びる当接部１６４と、当接部１６４における下端から内周側に延びる支持部１６３と、を備えている。屈曲部１６５の上面は、チェッカープレート１２３Ａの上面と面一をなしており、支持部１６３は、屈曲部１６５に対して低い段差状をなしている。
【００３１】
支持部１６３の上面は、チェッカープレート１２３Ａの板面における周端部１２４Ｂを支持する支持面１６３Ａとされる。当接部１６４におけるチェッカープレート１２３Ａ側の面は、チェッカープレート１２３Ａの端面１２４Ａに当接する当接面１６４Ａとされる。本実施形態においても、支持部１６３とチェッカープレート１２３Ａの間に防水テープ５０が介在されている。また、コーキング材５５は、隣り合う２つのプレートホルダ１６０Ｂ，１６０Ｂ（より具体的には、２つの差込片部１６２，１６２）の間に介在されている。また、防水パッキン５４は、差込片部１６２と縁部材１３４の双方に貼り付けられている。
【００３２】
＜他の実施形態＞
本発明は上記記述及び図面によって説明した実施形態に限定されるものではなく、例えば次のような実施形態も本発明の技術的範囲に含まれる。
（１）上記実施形態では、断熱パネルとして、プレハブ式冷蔵庫に用いるものを例示したがこれに限定されない。断熱パネルは、例えば、プレハブ式冷蔵庫以外のプレハブ式貯蔵庫（冷凍庫、恒温高湿庫など）に用いることができる。
（２）上記実施形態では、防水パッキン５４が、プレートホルダ及び縁部材の双方に貼り付けられている構成を例示したが、これに限定されない。例えば、防水パッキン５４は、プレートホルダのみに貼り付けられていてもよい。また、コーキング材５５を塗布する箇所は、隣り合うベースパネルの間であればよく、上記実施形態で例示した箇所に限定されない。
（３）上記実施形態では、プレートホルダ６０Ｂに設けられている防水テープ５０を例示したが、防水テープ５０は、プレートホルダ６０Ｂ以外のプレートホルダ（例えば図３に示すプレートホルダ６０Ａ参照）にも設けられている。
（４）上記各実施形態において、プレートホルダが枠材に対して一体的に設けられていてもよい。言い換えると、プレートホルダは差込片部を備えていなくてもよい。
【符号の説明】
【００３３】
２０Ａ…ベースパネル（断熱パネル）、２３Ａ，１２３Ａ…チェッカープレート（一方の表面板）、２３Ｂ…表面板、２４Ａ，１２４Ａ…一方の表面板の端面、２４Ｂ，１２４Ｂ…一方の表面板の板面における周端部、２５…発泡材（断熱材）、２７…内部空間、３０…枠材、４１…溝部、５０…防水テープ、５１…防水層、５２…接着層（表面板側接着層）、５３…接着層（保持部材側接着層）、５４…防水パッキン、６０Ｂ，１６０Ｂ…プレートホルダ（保持部材）、６２，１６２…差込片部、６３，１６３…支持部、６３Ａ，１６３Ａ…支持面、６４，１６４…当接部、６４Ａ，１６４Ａ…当接面
【図１】
2017110772.tif 000003
【図２】
2017110772.tif 000004
【図３】
2017110772.tif 000005
【図４】
2017110772.tif 000006
【図５】
2017110772.tif 000007
【図６】
2017110772.tif 000008
【図７】
2017110772.tif 000009